(57)【要約】【課題】楽器の大型化を抑え、鍵盤のタッチ感を容易に変更可能な電子楽器の鍵盤装置を提供することを目的とする。【解決手段】鍵に対応するハンマの一部を強磁性体で構成し、そのハンマの強磁性体に対応するように配列された複数のマグネットを有する基体を、左右方向に移動可能に設置する。その基体を移動させ、マグネットが強磁性体におよぼす磁力を変化させることで、鍵盤のタッチ感を変更することができる。さらに、基体を移動させる電動アクチェエータを、鍵盤の横ではなく、鍵盤の奥に配置することで、電子楽器全体の大型化を抑えることが可能である。【選択図】　　　　図１０
2004012954.tif 000002
【特許請求の範囲】
【請求項１】
左右に配列され押鍵操作を受けて上下に回動する複数の鍵と、前記複数の鍵それぞれに対応して備えられ押鍵操作を受けた鍵に押されて回動する、該複数の鍵の配列に対応して左右に配列された複数のハンマとを有する電子楽器の鍵盤装置において、
前記複数のハンマそれぞれは、少なくとも一部分が強磁性体からなるものであって、
前記複数のハンマそれぞれに隣接した位置を通って左右に延びる基体と、該基体の、前記複数のハンマそれぞれの強磁性体からなる部分に対応した各位置にそれぞれ固定されることにより左右方向に配列された複数のマグネットとを有し、該基体と該基体に固定された複数のマグネットが一体的に左右に移動することにより、複数のマグネットが、前記複数のハンマに対向した位置と隣接するハンマの中間の位置との間で移動自在な押鍵タッチ可変部材を備えたことを特徴とする電子楽器の鍵盤装置。
【請求項２】
前記鍵盤の奥に配備された電動アクチェエータと、
前記電動アクチェエータの駆動力を前記押鍵タッチ可変部材に伝達して該押鍵タッチ可変部材を左右に移動させる動力伝達機構とを備えたことを特徴とする請求項１記載の電子楽器の鍵盤装置。
【発明の詳細な説明】
【０００１】
【発明の属する技術分野】
本発明は、複数の鍵が配列された鍵盤を備えた電子楽器の鍵盤装置に関する。
【０００２】
【従来の技術】従来、例えば電子ピアノ等の電子鍵盤楽器の分野においては、押鍵・離鍵の際に、アコースティックの鍵盤楽器にいっそう近いタッチ感を演奏者に与えることが課題となっている。この課題を解決するため、電子鍵盤楽器には、ハンマとよばれる質量体が鍵に配設されていることが一般的であり、このハンマの重さなどによって押鍵および離鍵の際のタッチ感を調節している。
【０００３】
ところで、電子鍵盤楽器の演奏者は、幼児から成人、初心者から専門家に至るまで様々であり、当然押鍵する力も大きく異なっている。したがって、鍵盤のタッチ感を工場出荷時に一定に固定せずに、演奏者自らが調節できるような機構が備えられていることが好ましい。この点に関し、特開平０６−２０２６１８号公報には、鍵に取り付けられた第１のマグネットと、楽器本体に取り付けられた第２のマグネットとの距離を変更して磁力を変え、鍵盤のタッチ感を変更する機構を備えた電子鍵盤楽器について記載されている。
【０００４】
【発明が解決しようとする課題】
ここで、上記の電子鍵盤楽器は、第１のマグネットと第２のマグネットを前後／上下に動かして両マグネットの間の距離を変更するものである。したがって、電子鍵盤楽器の内部の空間を大きくとる必要があり、電子鍵盤楽器が大型化してしまうという問題がある。
【０００５】
本発明は、上記事情に鑑み、本体の大型化を抑え、鍵盤のタッチ感を容易に変更できる電子楽器の鍵盤装置を提供することを目的とする。
【０００６】
【課題を解決するための手段】
上記目的を達成する本発明の電子楽器の鍵盤装置は、左右に配列され押鍵操作を受けて上下に回動する複数の鍵と、複数の鍵それぞれに対応して備えられ押鍵操作を受けた鍵に押されて回動する、複数の鍵の配列に対応して左右に配列された複数のハンマとを有する鍵盤を備えた電子楽器の鍵盤装置において、
複数のハンマそれぞれは、少なくとも一部分が強磁性体からなるものであって、
複数のハンマそれぞれに隣接した位置を通って左右に延びる基体と、その基体の、複数のハンマそれぞれの強磁性体からなる部分に対応した各位置にそれぞれ固定されることにより左右方向に配列された複数のマグネットとを有し、基体とその基体に固定された複数のマグネットが一体的に左右に移動することにより、複数のマグネットが、複数のハンマに対向した位置と隣接するハンマの中間の位置との間で移動自在な押鍵タッチ可変部材を備えたことを特徴とする。
【０００７】
本発明の電子楽器の鍵盤装置は、基体上の、ハンマの強磁性体部分に対応する位置に固定されたマグネットが、基体と一体的に左右に移動可能である。例えば、マグネットがハンマの強磁性体部分に対応する位置にあるときに、両者が引き合って押鍵操作が重くなり、その状態から基体を鍵の幅の半分ほど左右方向に移動させると、マグネットも基体と一体的に移動して、ハンマと強磁性体とが引き合う力が弱くなり、押鍵操作が軽くなる。このように、本発明の鍵盤装置によると、押鍵タッチ可変部材を左右に動かして鍵盤のタッチ感を容易に変更できる。
【０００８】
また、従来の電子楽器の鍵盤装置はマグネットを前後上下に動かしていたが、本発明の鍵盤装置はマグネットを左右方向に動かすものであり、しかも移動させる距離は、最大でもハンマに対向した位置と隣接するハンマの中間の位置まででよく、鍵の幅の半分程度の距離でよい。したがって、横方向の長さは僅かな増加ですむうえ、鍵盤装置の内部に大きな空間を必要とせず、鍵盤装置の大型化を抑えることが可能である。
【０００９】
さらに、本発明の電子楽器の鍵盤装置は、
鍵盤の奥に配備された電動アクチェエータと、
電動アクチェエータの駆動力を押鍵タッチ可変部材に伝達して押鍵タッチ可変部材を左右に移動させる動力伝達機構とを備えることが好ましい。
【００１０】
本発明の鍵盤装置に備えられた電動アクチェエータは、鍵盤の横ではなく、鍵盤の奥に配置される。したがって、本発明の鍵盤装置によると、横方向（幅方向）の大型化を避けて、容易に鍵盤のタッチ感を変更することができる。
【００１１】
【発明の実施の形態】
以下、本発明の実施形態について説明する。
【００１２】
図１は、本発明の第１実施形態が適用された電子楽器の鍵盤装置の最端鍵の側面図である。
【００１３】
鍵盤装置１０には、シャーシ１１０、サブシャーシ１２０、鍵２１０、ハンマ２２０、アクチェエータ２３０、ラバースイッチ２４０、ラバースイッチ基板２５０、レール３１０、マグネットホルダ３２０、摺動ガイド３３０、レバー４１０、シャフト４２０、ピニオン４３０、およびラック４４０が具備されている。
【００１４】
シャーシ１１０は、鍵２１０等を固定するための樹脂部品であり、鍵盤装置１０の底板（図示しない）にネジなどで締結されている。サブシャーシ１２０は、シャーシ１１０にネジなどで固定された樹脂部品であり、鍵２１０を動かす際の軸を支える鍵軸受部１２１等を備えている。
【００１５】
鍵２１０は白鍵および黒鍵を含む計８８個の鍵であり、ハンマ支持部２１１および鍵軸部２１２を備えている。鍵２１０を押鍵すると、ハンマ支持部２１１で鍵２１０とハンマ２２０が接触し、ハンマ２２０を押し下げる。ハンマ２２０はある程度の重量を持つ質量体であり、このハンマ２２０を押し下げることで、鍵２１０を押す際に重量感が得られる。また、鍵２１０は、鍵軸部２１２でサブシャーシ１２０に設置されている。鍵２１０は、本発明の電子楽器の鍵盤装置にいう、鍵の一例に相当する。
【００１６】
図２は、ハンマ２２０を示す図である。
【００１７】
ハンマ２２０は、樹脂部２２１、ホルダ２２２、金属部２２３および回動支点２２４で構成されている。本実施形態においては、ハンマ２２０は樹脂部２２１が図１の鍵２１０の終端側、金属部２２３が鍵２１０の始端側になるようにサブシャーシ１２０に取り付けられており、鍵２１０の押鍵操作に伴って樹脂部２２１が押されて、回動支点２２４を軸に回動する。また、金属部２２３は強磁性体である金属で構成されており、図１のマグネットホルダ３２０に内蔵されたマグネットの磁力が付加されている。鍵２１０、マグネットホルダ３２０、およびハンマ２２０の構成については、後で詳しく説明する。このハンマ２２０は、本発明の電子楽器の鍵盤装置にいうハンマの一例にあたり、金属部２２３を構成する金属は、本発明にいう強磁性体の一例に相当する。さらに、図１の鍵２１０およびハンマ２２０をあわせたものは、本発明にいう鍵盤の一例にあたる。
【００１８】
図１に戻って説明する。
【００１９】
レール３１０は、鍵盤装置１０の左右方向に伸びるレールであり、マグネットホルダ３２０が取り付けられている。また、レール３１０は、摺動ガイド３３０を介してシャーシ１１０に取り付けられており、レバー４１０を使って鍵盤装置１０の左右方向に移動可能である。本発明の電子楽器の鍵盤装置における特徴の一つは、このレール３１０およびマグネットホルダ３２０などにあり、以下、図１の説明を中断して図３、図４、および図５の説明をする。
【００２０】
図３は、図１のレール３１０およびマグネットホルダ３２０を、鍵盤装置１０の左右方向と垂直な面で切断したときの断面図である。
【００２１】
マグネットホルダ３２０には、図２に示すハンマ２２０の金属部２２３を引き寄せる磁力を有するマグネット３２１が内蔵されており、マグネットホルダ３２０は、ネジおよびフック３２２でレール３１０に固定されている。
【００２２】
図４は、マグネットホルダ３２０を固定したレール３１０を示す斜視図である。
【００２３】
鍵盤装置１０の左右方向に伸びるレール３１０には、図１の鍵２１０に対応する計８８個のマグネットホルダ３２０が固定されている。
【００２４】
図５は、図４のレール３１０をシャーシ１１０に取り付けた斜視図である。
【００２５】
マグネットホルダ３２０が固定されたレール３１０は、図１に示す摺動ガイド３３０を介してシャーシ１１０に取り付けられている。レール３１０は、シャーシ１１０の左右方向へ移動可能であり、そのときマグネットホルダ３２０もレール３１０と一体的に移動する。レール３１０は、本発明にいう基体の一例にあたり、マグネット３２１は、本発明にいうマグネットの一例に相当する。
【００２６】
再び図１に戻って説明する。
【００２７】
図１のレバー４１０を動かすと、その動きがシャフト４２０、ピニオン４３０、およびラック４４０を経由してレール３１０に伝えられ、レール３１０が移動する。
【００２８】
本実施形態の鍵盤装置１０は、基本的には以上のように構成されている。次に、本発明の電子楽器の鍵盤装置の特徴である鍵２１０、ハンマ２２０、レール３１０、およびマグネットホルダ３２０等の作用について説明する。
【００２９】
まず、鍵２１０の押鍵操作に伴う、マグネットホルダ３２０およびハンマ２２０の作用について説明する。
【００３０】
図６は、押鍵する前の鍵２１０の側面を示す概要図である。
【００３１】
図６の破線部内には、図１に示すサブシャーシ１２０が取り付けられており、そのサブシャーシ１２０に、回動支点２２４でハンマ２２０が、鍵軸部２１２で鍵２１０がそれぞれ回動自在に設置されている。また、マグネットホルダ３２０に内蔵されている図３に示すマグネット３２１の磁力により、ハンマ２２０の金属部２２３がマグネットホルダ３２０に引き寄せられている。ここで、接触する際に雑音が発生するのを防ぐため、マグネットホルダ３２０と金属部２２３とは少し距離をおいて配置されている。
【００３２】
ここで、鍵２１０を押鍵する。
【００３３】
このとき、鍵２１０のハンマ支持部２１１は、ハンマ２２４の樹脂部２２１を押し下げる。ハンマ２２４は、ある程度の重量を有しており、鍵２１０を押すときのタッチ感に重量感を与えている。
【００３４】
図７は、押鍵したときの鍵２１０の側面を示す概要図である。
【００３５】
鍵２１０を押すと、ハンマ２２４を押し下げ、ハンマ２２４は、回動支点２２４を軸にして回動する。ここで、押鍵操作は、マグネットホルダ３２０内のマグネット３２１の磁力と反する力を加える操作であり、マグネット３２１が取り付けられていることによって、押鍵するときのタッチ感にいっそう重量感が加わっている。さらに、金属部２２３がマグネット３２１に引き寄せられる力が大きくなるほど、鍵２１０を押すときのタッチ感に重量感が加わる。
【００３６】
以上で、鍵２１０の押鍵操作に伴う、マグネットホルダ３２０およびハンマ２２０の作用の説明を終了する。
【００３７】
次に、レール３１０を動かすときの、マグネットホルダ３２０およびハンマ２２０の作用を説明する。
【００３８】
図８は、鍵盤装置１０の鍵２１０をはずして、鍵盤装置１０の最端部を上から見た図である。
【００３９】
図８においては、ハンマとハンマの間にマグネットホルダ３２０が配置されており、図７で説明したハンマ２２０の金属部２２３がマグネットホルダ３２０内のマグネット３２１に引き寄せられる力はそれほど大きくない。したがって、図７の鍵２１０を押すときのタッチ感には、それほどの重量感はない。
【００４０】
ここで、図１に示すレバー４１０を操作して図８のピニオン４３０を矢印Ａの方向に動かし、レール３１０およびマグネットホルダ３２０を矢印Ｂ方向に移動させる。
【００４１】
図９は、図８のレール３１０およびマグネットホルダ３２０を、矢印Ｂ方向に移動させたときの図である。
【００４２】
図９においては、ハンマ２２０に対応する位置に、マグネットホルダ３２０が配置されている。これは、図８に示すハンマとハンマの間にマグネットホルダ３２０が配置されている場合と比べて、ハンマ２２０の金属部２２３がマグネットホルダ３２０内のマグネット３２１に引き寄せられる力が大きく、鍵２１０を押すときのタッチ感に、大きな重量感が加えられている。ここで、マグネット３２１を含むマグネットホルダ３２０、レール３１０等は、本発明の電子楽器の鍵盤装置における押鍵タッチ可変部材の一例に相当する。また、図９の状態からさらに図１のレバー４１０を操作してレール３１０を移動させると、ハンマとハンマの間にマグネットホルダ３２０が配置されて、図８と同様に押鍵操作が軽くなる。したがって、レール３１０を移動させる距離は、隣接するハンマ２２０の間の位置からハンマ２２０に対応する位置までの距離（この距離は、鍵２１０の幅の半分程度に相当する）で十分である。
【００４３】
このように、本実施形態の鍵盤装置１０では、図１のレバー４１０を操作してマグネットホルダ３２０を移動させるだけで、容易に鍵盤のタッチ感を変更することが可能である。
【００４４】
以上で本発明の鍵盤装置の第１実施形態の説明を終了し、次に、第２実施形態の説明を行う。尚、第１実施形態と重なる部分の説明は省き、相違点のみ説明する。
【００４５】
図１０は、本発明の第２実施形態が適用された鍵盤装置２０の最端の鍵の側面図である。ここで、第１実施形態と同じ部位については、図１と同じ符号を用いる。
【００４６】
鍵盤装置２０には、図１に示すレバー４１０に換えて、電動駆動部５００が備えられている。
【００４７】
電動駆動部５００は、電力によって駆動するモータ５１０、モータ５１０と同期して作動し、ギヤ５４０を回転させるウォーム５２０、ギア５４０の回転軸に取り付けられたベアリング５３０、モータ５１０の動力をシャフト４２０、ピニオン４３０、ラック４４０を介してレール３１０に伝えるギヤ５４０で構成されている。図示しないモータ駆動用のスイッチが押されると、モータ５１０が駆動して、ウォーム５２０、ベアリング５３０、ギヤ５４０が作動し、レール３１０が鍵盤装置２０の左右方向に移動する。モータ５１０は、本発明の電子楽器の鍵盤装置における電動アクチェエータの一例にあたり、ウォーム５２０、ベアリング５３０、ギヤ５４０、シャフト４２０、ピニオン４３０、ラック４４０等をあわせたものが、本発明の電子楽器の鍵盤装置における動力伝達機構の一例に相当する。
【００４８】
図１１は、鍵盤装置２０の内部の上面図である。
【００４９】
図１１に示すように、電動駆動部５００は、鍵盤装置２０内の鍵２１０を含む鍵盤、およびレール３１０の奥に配置されている。電動駆動部５００を図１１に示す位置に配置することで、鍵盤装置２０の幅が大型化されるのを避けることができる。また、鍵盤装置の奥には、従来スピーカ等が配置されており、図１１の電動駆動部５００が配置されている位置は、スペースが空いていることが多い。したがって、従来の鍵盤装置を大型化することなく電動駆動部５００を備えることが可能である。
【００５０】
ここで、上記では８８個の鍵およびハンマを備えた電子楽器の鍵盤装置を用いて説明したが、この鍵およびハンマの数は８８個に限らず、また、ハンマと鍵の数が同じでなくてもよい。
【００５１】
また、本実施形態において、ハンマに備えられた金属（強磁性体）部は、金属部とマグネットとの距離の偏差を小さくして、押鍵操作のタッチ感を一定に保つ目的と、レールを移動させる際に、ハンマも一緒に追従して湾曲してしまうことを避けるために回動支点の近くに配置したが、金属部の位置はマグネットの磁力が作用する位置であればこの位置には限られない。
【００５２】
【発明の効果】
以上、説明したように、本発明によれば、楽器の大型化を避けて、容易に鍵盤のタッチ感を変更可能な電子楽器の鍵盤装置を提供することができる。
【図面の簡単な説明】
【図１】本発明の第一実施形態が適用された電子楽器の鍵盤装置の最端鍵の側面図である。
【図２】ハンマ２２０を示す図である。
【図３】図１のレール３１０およびマグネットホルダ３２０を、鍵盤装置１０の左右方向と垂直な面で切断したときの断面図である。
【図４】マグネットホルダ３２０を固定したレール３１０を示す斜視図である。
【図５】図４のレール３１０をシャーシ１１０に取り付けた斜視図である。
【図６】押鍵する前の鍵２１０の側面を示す概要図である。
【図７】押鍵したときの鍵２１０の側面を示す概要図である。
【図８】鍵盤装置１０の鍵２１０をはずして、鍵盤装置１０の最端部を上から見た図である。
【図９】図８のレール３１０およびマグネットホルダ３２０を、矢印Ｂ方向に動かしたときの図である。
【図１０】本発明の第２実施形態が適用された鍵盤装置２０の最端の鍵の側面図である。
【図１１】鍵盤装置２０の内部の上面図である。
【符号の説明】
１０　　鍵盤装置
１１０　　シャーシ
１２０　　サブシャーシ
１２１　　鍵軸受部
２１０　　鍵
２１１　　ハンマ支持部
２１２　　鍵軸部
２２０　　ハンマ
２２１　　樹脂部
２２２　　ホルダ
２２３　　金属部
２２４　　回動支点
２３０　　アクチェエータ
２４０　　ラバースイッチ
２５０　　ラバースイッチ基板
３１０　　レール
３２０　　マグネットホルダ
３２１　　マグネット
３２２　　フック
４１０　　レバー
４２０　　シャフト
４３０　　ピニオン
４４０　　ラック
５００　　電動駆動部
５１０　　モータ
５２０　　ウォーム
５３０　　ベアリング
５４０　　ギヤ
【図１】
2004012954.tif 000003
【図２】
2004012954.tif 000004
【図３】
2004012954.tif 000005
【図４】
2004012954.tif 000006
【図５】
2004012954.tif 000007
【図６】
2004012954.tif 000008
【図７】
2004012954.tif 000009
【図８】
2004012954.tif 000010
【図９】
2004012954.tif 000011
【図１０】
2004012954.tif 000012
【図１１】
2004012954.tif 000013